(57)【要約】【課題】換気装置のメンテナンス時に、換気装置内部を照明することで換気装置内部が明るく、視認性の高い換気装置を提供する。【解決手段】ファン１と、前記ファン１を回転させるモータ２と、ファン１のボス１０周辺部を照らす照明手段３（ＬＥＤもしくは白熱灯など）と、電力供給手段４（太陽電池もしくは充電池、もしくは電気二重層コンデンサなど）を有し前記照明手段３を駆動する照明駆動手段５と、換気装置の運転を制御する制御手段６と、前記照明手段３のＯＮ／ＯＦＦを制御するスイッチ７と、換気装置下面開口部設置されたにルーバ８と、下面開口部から吸い込んだ室内の空気を室外へ排出させるアダプタ９とを備えた換気装置であり、電力供給手段４により照明駆動手段５を駆動し、照明手段３を点灯させることで換気装置内部を照らし換気装置内部を明るくすることができる。【選択図】図１
2010096362.tif 000002
【特許請求の範囲】
【請求項１】
室内の空気を排気するファンと、前記ファンを駆動するモータと、換気装置の内部を照明する照明手段と、商用電源とは異なる電力供給手段を有し前記照明手段を駆動する照明駆動手段と、換気装置の運転を制御する制御手段とを備えた換気装置。
【請求項２】
照明手段をＯＮ／ＯＦＦさせるスイッチを有した請求項１記載の換気装置。
【請求項３】
換気装置の電源がＯＦＦになったとき照明手段をＯＮさせる判断手段を有した請求項１記載の換気装置。
【請求項４】
換気装置本体下面開口部にルーバと前記ルーバの有無を検知する検知手段を設け、前記検知手段により前記ルーバの有無を判断する判断手段を有した請求項１記載の換気装置。
【請求項５】
ルーバの開閉に連動して照明手段をＯＮ／ＯＦＦさせる請求項４記載の換気装置。
【請求項６】
検知手段はリミットスイッチで構成した請求項４、５記載の換気装置。
【請求項７】
検知手段は非接触スイッチで構成した請求項４、５記載の換気装置。
【請求項８】
電力供給手段は太陽電池で構成した請求項１〜６記載の換気装置。
【請求項９】
電力供給手段は充電池で構成した請求項１〜６記載の換気装置。
【請求項１０】
電力供給手段は電気二重層コンデンサで構成した請求項１〜６記載の換気装置。
【請求項１１】
電力供給手段は照明駆動手段とファンの両方を駆動するように構成した請求項１〜１０の換気装置。
【請求項１２】
電力供給手段は少なくとも照明駆動手段の駆動電力を上回る容量で構成した請求項１〜１１記載の換気装置。
【請求項１３】
電力供給手段は商用電源未接続時に所定時間以上、照明駆動手段を駆動できる容量で構成した請求項１〜１２記載の換気装置。
【請求項１４】
照明手段はファンのボス周辺を照らすように設置した請求項１〜１３記載の換気装置。
【請求項１５】
照明手段はファンのボス周辺を照らすように複数設置した請求項１〜１３記載の換気装置。
【請求項１６】
照明手段はＬＥＤで構成した請求項１〜１５記載の換気装置。
【請求項１７】
照明手段は白熱灯で構成した請求項１〜１５記載の換気装置。
【発明の詳細な説明】
【技術分野】
【０００１】
本発明は、壁や天井に埋め込んで使用する換気装置に関するものである。
【背景技術】
【０００２】
一般的な換気装置は、換気装置本体下面開口部にルーバを有し、換気装置内部にルーバのばね差込用の長穴と、オリフィスに覆われたファンと、モータから構成されている。
【０００３】
近年のファン取付装置には、回転軸に設けた羽根回り止め部に係合するボス部と、回転軸に保持される保持部を押圧部を一体に形成して一対に設けた羽根ロック部をブレード側に備え、一対の保持部で回転軸を保持し、押圧部を指先で挟む操作により保持部の保持力を解除して羽根車を着脱することにより、指先で挟む簡単な作業で羽根車を取り外すことのできる構造をとるものもある。このタイプの換気装置には、換気装置内部にファンの取外し方などが書かれている（例えば特許文献１、特許文献２参照）。
【特許文献１】実開昭６２−３１７９８号公報
【特許文献２】特開２００４−１２４７８２号公報
【発明の開示】
【発明が解決しようとする課題】
【０００４】
近年換気装置のファンの取外し易さなど、メンテナンス機能が向上してきている。しかし、メンテナンス時の環境は考えられておらず、換気装置をメンテナンスする際に、換気装置内部が暗く、換気装置内部に書かれたファンの取外し方の説明書きやファンの場所などが見えにくいために、ファンの取外しやお手入れがしにくいなどの問題がある。
【０００５】
本発明は、このような従来の課題を解決するものであり、換気装置のメンテナンス時に、換気装置内部を照明することで換気装置内部が明るく、視認性の高い換気装置を提供することを目的としている。
【課題を解決するための手段】
【０００６】
本発明の換気装置は上記の目的を達成するために、室内の空気を排気するファンと、前記ファンを駆動するモータと、換気装置の内部を照明する照明手段と、商用電源とは異なる電力供給手段を有し前記照明手段を駆動する照明駆動手段と、換気装置の運転を制御する制御手段とを備えた換気装置である。
【０００７】
この手段により、電力供給手段により照明駆動手段を駆動し、照明手段が換気装置内部を照らして換気装置内部を明るくすることとなり、内部の視認性を高めることができる。
【０００８】
また、本発明の換気装置は、照明手段をＯＮ／ＯＦＦさせるスイッチを有した換気装置である。
【０００９】
この手段により、スイッチをＯＮ／ＯＦＦすることで照明駆動手段を駆動させ、換気装置内部を照明手段により照らすこととなり、使用者の必要に応じて照明手段をＯＮ／ＯＦＦさせることができる。
【００１０】
また、本発明の換気装置は、換気装置の電源がＯＦＦになったとき照明手段をＯＮさせる判断手段を有した換気装置である。
【００１１】
この手段により、換気装置の電源がＯＦＦになったとき、判断手段が照明がＯＮであると判断し、電力供給手段により照明駆動手段を駆動させ、換気装置内部を照明により照らすこととなり、使用者がスイッチ操作などの煩わしい作業を行わずに照明をＯＮ／ＯＦＦさせることができる。
【００１２】
また、本発明の換気装置は、換気装置本体下面開口部にルーバと前記ルーバの有無を検知する検知手段を設け、前記検知手段により前記ルーバの有無を判断する判断手段を有した換気装置である。
【００１３】
この手段により、ルーバが換気装置本体下面開口部に設置されているときは検知手段がルーバの設置を検知し、判断手段に設置を伝達することでルーバがあると判断し、ルーバが換気装置本体下面開口部に設置されていないときは検知手段がルーバの非設置を検知し、判断手段に非設置を伝達することでルーバがないと判断し、ルーバを外したときをメンテナンス時と判断することができる。
【００１４】
また、本発明の換気装置は、ルーバの開閉に連動して照明手段をＯＮ／ＯＦＦさせる換気装置である。
【００１５】
この手段により、ルーバが換気装置本体下面開口部に設置されているときは、検知手段が判断手段に閉状態を伝達することで照明ＯＦＦと判断して照明をＯＦＦし、ルーバが換気装置本体下面開口部に設置されていないときは検知手段がルーバの非設置を検知し、判断手段に開状態を伝達することで照明ＯＮと判断し、電力供給手段により照明駆動手段を駆動させ、照明手段をＯＮさせ、すなわちルーバの開閉に連動して照明手段をＯＮ／ＯＦＦすることとなり、ルーバを外したときをメンテナンス時と判断し、自動で照明をＯＮ／ＯＦＦさせることができる。
【００１６】
また、本発明の換気装置は、検知手段はリミットスイッチで構成した換気装置である。
【００１７】
この手段により、ルーバが換気装置本体下面開口部に設置されているときはリミットスイッチがルーバの設置を検知し、判断手段に設置を伝達することで照明ＯＦＦと判断する。ルーバが換気装置本体下面開口部に設置されていないときはリミットスイッチがルーバの非設置を検知し、判断手段に非設置を伝達することで照明ＯＮと判断し、電力供給手段により照明駆動手段を駆動させ、換気装置内部を照明手段により照らすこととなり、ルーバを外したときをメンテナンス時と判断し、自動で照明をＯＮ／ＯＦＦさせることができ、さらに、安価にスイッチ機能を実現することができる。
【００１８】
また、本発明の換気装置は、検知手段は非接触スイッチで構成した換気装置である。
【００１９】
この手段により、ルーバが換気装置本体下面開口部に設置されているときは非接触スイッチがルーバの設置を検知し、判断手段に設置を伝達することで照明ＯＦＦと判断する。ルーバが換気装置本体下面開口部に設置されていないときは非接触スイッチがルーバの非置を検知し、判断手段に非設置を伝達することで照明ＯＮと判断し、電力供給手段により照明駆動手段を駆動させ、換気装置内部を照明手段により照らすこととなり、ルーバを外したときをメンテナンス時と判断し、自動で照明をＯＮ／ＯＦＦさせることができる。また、スイッチを換気装置内部に組み込めるため、掃除などのメンテナンスが容易に行える。
【００２０】
また、本発明の換気装置は、電力供給手段は太陽電池で構成した換気装置である。
【００２１】
この手段により、太陽電池により発電し、換気装置内部を照らすこととなり、発電コストがかからないため、省エネルギーな換気装置を提供できる。
【００２２】
また、本発明の換気装置は、電力供給手段は充電池で構成した換気装置である。
【００２３】
この手段により、充電池により発電し、換気装置内部を照らすこととなり、本体に電力供給がない状態でも照明手段を駆動できる。
【００２４】
また、本発明の換気装置は、電力供給手段は電気二重層コンデンサで構成した換気装置である。
【００２５】
この手段により、電気二重層コンデンサにより発電し、換気装置内部を照らすこととなり、他の電力供給手段よりも安価に照明手段を駆動できる。
【００２６】
また、本発明の換気装置は、電力供給手段は照明駆動手段とファンの両方を駆動するように構成した換気装置である。
【００２７】
この手段により、商用電源が換気装置に供給されない状況でも、電力供給手段によってファンを駆動できる。
【００２８】
また、本発明の換気装置は、電力供給手段は少なくとも照明駆動手段の駆動電力を上回る容量で構成した換気装置である。
【００２９】
この手段により、電力供給手段が照明駆動手段を駆動させられることとなり、確実に照明手段を点灯させられる。
【００３０】
また、本発明の換気装置は、電力供給手段は商用電源未接続時に所定時間以上、照明駆動手段を駆動できる容量で構成した換気装置である。
【００３１】
この手段により、電力供給手段が照明駆動手段を所定時間駆動させられることとなり、メンテナンスをしている間、照明手段を点灯させられる。
【００３２】
また、本発明の換気装置は、照明手段はファンのボス周辺部を照らすように設置した換気装置である。
【００３３】
この手段により、照明駆動手段によって駆動された照明手段がファンのボス周辺部を照らしボス周辺部を明るくすることとなり、ファンの着脱や掃除を簡易に行うことができる。
【００３４】
また、本発明の換気装置は、照明手段はファンのボス周辺部を照らすように複数設置した換気装置である。
【００３５】
この手段により、ファンの停止位置によって照明手段がファンの主板に覆われても、いずれかの照明手段が主板に覆われることなくボス周辺部を照らすこととなり、ファンの着脱や掃除を簡易に行うことができる。
【００３６】
また、本発明の換気装置は、照明手段はＬＥＤで構成した換気装置である。
【００３７】
この手段により、ＬＥＤにより換気装置内部を照らすこととなり、消費電力が少なく、省エネルギーな照明装置を提供できる。
【００３８】
また、本発明の換気装置は、照明手段は白熱灯で構成した換気装置である。
【００３９】
この手段により、白熱灯により換気装置内部を照らすこととなり、広範囲にわたって照明できる照明装置を提供できる。
【発明の効果】
【００４０】
以上のように本発明によれば、照明手段を照明駆動手段によって駆動させ、ファンのボス周辺部を照らすことで換気装置内部を明るくし、内部の視認性が高い換気装置を提供できる。
【発明を実施するための最良の形態】
【００４１】
本発明の請求項１記載の換気装置は、室内の空気を排気するファンと、前記ファンを駆動するモータと、換気装置の内部を照明する照明手段と、電力供給手段を有し前記照明手段を駆動する照明駆動手段と、換気装置の運転を制御する制御手段とを備えた換気装置であり、電力供給手段により照明駆動手段を駆動し、照明手段を点灯させることで換気装置内部を照らし換気装置内部を明るくするという作用を有する。
【００４２】
また、照明手段をＯＮ／ＯＦＦさせるスイッチを有したものであり、スイッチをＯＮ／ＯＦＦすること電力供給手段により照明駆動手段を駆動し、照明手段を点灯させることで換気装置内部を照らし、換気装置内部を明るくするという作用を有する。
【００４３】
また、換気装置の電源がＯＦＦになったとき照明手段をＯＮさせる判断手段を有したものであり、換気装置の電源がＯＦＦになったとき、判断手段が照明がＯＮであると判断し、電力供給手段により照明駆動手段を駆動させ、照明手段を点灯させることで換気装置内部を照明手段により照らすという作用を有する。
【００４４】
また、換気装置本体下面開口部にルーバと前記ルーバの有無を検知する検知手段を設け、前記検知手段により前記ルーバの有無を判断する判断手段を有したものであり、ルーバが換気装置本体下面開口部に設置されているときは検知手段がルーバの設置を検知し、判断手段がルーバが閉状態であると判断し、ルーバが換気装置本体下面開口部に設置されていないときは検知手段がルーバの非設置を検知し、判断手段がルーバが開状態であると判断することで、ルーバの開閉状態でメンテナンス時かどうかを判断できるという作用を有する。
【００４５】
また、ルーバの開閉に連動して照明手段をＯＮ／ＯＦＦさせるものであり、ルーバが換気装置本体下面開口部に設置されているときは、検知手段が判断手段に閉状態を伝達することで照明ＯＦＦと判断して照明をＯＦＦし、ルーバが換気装置本体下面開口部に設置されていないときは検知手段がルーバの非設置を検知し、判断手段に非設置を伝達することで照明ＯＮと判断し、電力供給手段により照明駆動手段を駆動させ、照明手段をＯＮさせることで、スイッチ操作なしで換気装置内部を明るくできるという作用を有する。
【００４６】
また、検知手段はリミットスイッチで構成したものであり、ルーバが換気装置本体下面開口部に設置されているときはリミットスイッチがルーバの設置を検知し、判断手段に設置を伝達することで照明ＯＦＦと判断し照明をＯＦＦし、ルーバが換気装置本体下面開口部に設置されていないときはリミットスイッチがルーバの非設置を検知し、判断手段に非設置を伝達することで照明ＯＮと判断し、電力供給手段により照明駆動手段を駆動させ、照明手段を点灯させることで換気装置内部を照明手段により照らすという作用を有する。
【００４７】
また、検知手段は非接触スイッチで構成したものであり、ルーバが換気装置本体下面開口部に設置されているときは非接触スイッチがルーバの設置を検知し、判断手段に設置を伝達することで照明ＯＦＦと判断し照明をＯＦＦし、ルーバが換気装置本体下面開口部に設置されていないときは非接触スイッチがルーバの非設置を検知し、判断手段に非設置を伝達することで照明ＯＮと判断し、電力供給手段により照明駆動手段を駆動させ、照明手段を点灯させることで換気装置内部を照明手段により照らすという作用を有する。
【００４８】
また、電力供給手段は太陽電池で構成したものであり、太陽電池により発電し、換気装置内部を照らすという作用を有する。
【００４９】
また、電力供給手段は充電池で構成したものであり、充電池により発電し、換気装置内部を照らすという作用を有する。
【００５０】
また、電力供給手段は電気二重層コンデンサで構成したものであり、電気二重層コンデンサにより発電し、換気装置内部を照らすという作用を有する。
【００５１】
また、電力供給手段は照明駆動手段とファンの両方を駆動するように構成したものであり、商用電源から電力を供給せずにファンを駆動できるため、停電時などにファンを駆動できるという作用を有する。
【００５２】
また、電力供給手段は少なくとも照明駆動手段の駆動電力を上回る容量で構成したものであり、確実に換気装置内部を明るくするという作用を有する。
【００５３】
また、電力供給手段は商用電源未接続時に所定時間以上、照明駆動手段を駆動できる容量で構成したものであり、ファンのメンテナンスを行っている間、換気装置内部を明るくするという作用を有する。
【００５４】
また、照明手段はファンのボス周辺部を照らすように設置したものであり、照明駆動手段によって駆動された照明手段がファンのボス周辺部を照らすという作用を有する。
【００５５】
また、照明手段はファンのボス周辺部を照らすように複数設置したものであり、ファンの停止位置によって照明手段がファンの主板に覆われても、いずれかの照明手段が主板に覆われることなくボス周辺部を照らすという作用を有する。
【００５６】
また、照明手段はＬＥＤで構成したものであり、ＬＥＤにより換気装置内部を照らすという作用を有する。
【００５７】
また、照明手段は白熱灯で構成したものであり、白熱灯により換気装置内部を照らすという作用を有する。
【００５８】
以下、本発明の実施の形態について図面を参照しながら説明する。
【００５９】
（実施の形態１）
図１は本発明の換気装置の横断面図を示す。図２はファンの立体図を示す。換気装置はファン１と、前記ファン１を回転させるモータ２と、ファン１のボス１０周辺部を照らす照明手段３（ＬＥＤもしくは白熱灯など）と、電力供給手段４（太陽電池もしくは充電池、もしくは電気二重層コンデンサなど）を有し前記照明手段３を駆動する照明駆動手段５と、換気装置の運転を制御する制御手段６と、前記照明手段３のＯＮ／ＯＦＦを制御するスイッチ７と、換気装置下面開口部設置されたにルーバ８と、下面開口部から吸い込んだ室内の空気を室外へ排出させるアダプタ９とを備えている。
【００６０】
図１において、照明手段３はファン１内部のボス周辺部を所定時間照らすように設置することとする。所定時間とは、例えば羽根を取り外して掃除し、羽根を取り付けるまでの間の１５分程度とする。また図２のように、モータ２とファン１の主板１１の間に照明手段３がボス１０に向くように設置する。また、ファン停止時の主板の位置に影響されずにボス１０周辺部を照らせるような位置に複数設置してもよい。例えば図３のように、主板１１が６０度間隔で配置されている場合に、４０度間隔で９つの照明を設置することで、任意の照明手段が主板１１に覆われ、ボス１０周辺部を照らせないときも、残りのいずれかの照明手段がボス周辺部を照らすこととなる。また、電力供給手段４の容量は、少なくとも照明駆動手段５の駆動電力を上回る容量を有することとし、例えば照明手段３がＬＥＤの場合１Ｗ以上、白熱灯の場合は２０Ｗ以上の容量を有することとする。
【００６１】
また、電力供給手段４はファンを駆動できる構成としても良い。これにより、停電中もファンを駆動させられる。また、スイッチ７は換気装置内部の側面など、ルーバ８を外したときに、簡便にＯＮ／ＯＦＦが行える場所に設置することとする。
【００６２】
上記構成において、スイッチ７をＯＮすることで電力供給手段４により照明駆動手段５を駆動させ、照明手段３を点灯し、ファン１のボス１０周辺部を照らすこととなる。ファンを容易に取り外せる換気装置の場合、ファンのボス周辺部には着脱方法の説明書きが書かれており、着脱方法の説明書きを照らすことになり、視認性を高め、メンテナンス性を向上させることとなる。以上のような構成により、ファンが取り外せない換気装置の場合、ファン周辺の汚れを照らすこととなり、ファンの汚れを認知しやすくなり、掃除性を向上させることができる。
【００６３】
（実施の形態２）
実施の形態２について、図４を参照しながら説明する。なお、実施の形態１と同一のものは同一番号を付し、その詳細な説明を省略する。電源がＯＦＦになったことを判断する判断手段１２を備えた構成とする。
【００６４】
上記構成において、換気装置の電源をＯＦＦにしたときに、判断手段１２が照明ＯＮと判断し、電力供給手段４により照明駆動手段５を駆動させ、照明手段３を点灯し、ファン１のボス１０周辺部を照らすこととなる。
【００６５】
以上のように構成した換気装置は、換気装置の電源がＯＦＦになった時をメンテナンス時と判断し、自動的に照明手段を点灯させ、換気装置内部のボス周辺部の照度を上げ、メンテナンス性を向上させることができる。
【００６６】
（実施の形態３）
実施の形態３について、図５を参照しながら説明する。なお、実施の形態１と同一のものは同一番号を付し、その詳細な説明を省略する。換気装置本体の下面開口部にリミットスイッチなどの検知手段１３と、前記検知手段１３からの信号により照明のＯＮ／ＯＦＦを判断する判断手段１４を備えた構成とする。
【００６７】
図５において、検知手段１３はルーバ８が換気装置に設置されているときはＯＮ、設置されていないときにＯＦＦとなるように設置するものである。また、判断手段１４は前記検知手段１３がＯＮのときに照明ＯＦＦ、前記検知手段１３がＯＦＦのときに照明ＯＮと判断するものである。
【００６８】
上記構成において、ルーバ８を換気装置本体に取り付けている場合に検知手段１３はＯＮとなり、ルーバ８が換気装置本体から取り外された場合に検知手段１３はＯＦＦとなる。検知手段１３がＯＮの場合、判断手段１４は照明ＯＦＦと判断し、判断手段１４の判断に連動して照明は消灯させる。一方、検知手段１３がＯＦＦとなった場合に判断手段１４が照明ＯＮと判断し、判断手段１４の判断に連動して電力供給手段４により照明駆動手段５を駆動し、照明手段３を点灯することでファン１のボス１０周辺部を照らす。
【００６９】
以上のように構成した換気装置は、ルーバの開閉に連動して照明手段がＯＮ／ＯＦＦとなり、使用者がスイッチ操作等の操作を行わずに、換気装置のメンテナンス性を向上させることとなる。
【００７０】
（実施の形態４）
実施の形態４について、図６を参照しながら説明する。なお、実施の形態１と同一のものは同一番号を付し、その詳細な説明を省略する。換気装置本体の下面開口部の内部にホールＩＣ素子などの非接触型検知手段１５と前記ホールＩＣ素子の対面側のルーバ内に磁石１６を備え、さらに前記非接触型検知手段１５からの信号により照明のＯＮ／ＯＦＦを判断する判断手段１７を備えた構成とする。
【００７１】
上記構成において、ルーバ８を換気装置本体に取り付けている場合に非接触型検知手段１５はＯＮとなり、ルーバ８が換気装置本体から取り外された場合に非接触型検知手段１５はＯＦＦとなる。非接触型検知手段１５がＯＮの場合は判断手段１７が照明ＯＦＦと判断し、判断手段１７の判断に連動して照明は消灯させる。非接触型検知手段１５がＯＦＦとなった場合に判断手段１７が照明ＯＮと判断し、判断手段１７の判断に連動して電力供給手段４により照明駆動手段５を駆動し、照明手段３を点灯することでファン１のボス１０周辺部を照らす。
【００７２】
以上のように構成した換気装置は、ルーバの開閉に連動して照明手段がＯＮ／ＯＦＦとなり、使用者がスイッチ操作等の操作を行わずに換気装置のメンテナンス性を向上させることに加え、非接触型検知手段を用いることで、換気装置本体の下面開口部には凹凸がなく、平らに近い状態を保てるため、下面開口部の掃除がしやすくなる。
【産業上の利用可能性】
【００７３】
換気装置内部に取り付けた照明手段を用いて容易に換気装置内部を照明する構成は、内部が暗く、視認性の低い製品に適用できる。
【図面の簡単な説明】
【００７４】
【図１】本発明の実施の形態１の換気装置の横断面図
【図２】本発明の実施の形態１の換気装置のファンの立体図
【図３】本発明の実施の形態１の換気装置のファンの鉛直上面図
【図４】本発明の実施の形態２の換気装置の横断面図
【図５】本発明の実施の形態３の換気装置の横断面図（（ａ）リミットスイッチＯＦＦ時の図、（ｂ）リミットスイッチＯＮ時の図）
【図６】本発明の実施の形態４の換気装置の横断面図（（ａ）非接触スイッチＯＦＦ時の図、（ｂ）非接触スイッチＯＮ時の図）
【符号の説明】
【００７５】
１    ファン
２    モータ
３    照明手段
４    電力供給手段
５    照明駆動手段
６    制御手段
７    スイッチ
８    ルーバ
９    アダプタ
１０  ボス
１１  主板
１２  判断手段
１３  検知手段
１４  判断手段
１５  非接触型検知手段
１６  磁石
１７  判断手段
【図１】
2010096362.tif 000003
【図２】
2010096362.tif 000004
【図３】
2010096362.tif 000005
【図４】
2010096362.tif 000006
【図５】
2010096362.tif 000007
【図６】
2010096362.tif 000008